(57)【要約】【課題】意匠性や操作性を向上させ、所定の生地を容易に取着可能とした遮光フィンを有する遮蔽装置、及びロールスクリーンを提供する。【解決手段】本発明の遮蔽装置として構成されるロールスクリーン１は、スクリーン４を巻き取り又は巻き戻すことにより開閉可能に支持する巻取パイプ３と、巻取パイプ３を支持する枠体（取付フレーム２及び支持部材２ａ，２ｂ）と、当該枠体と巻取パイプ３との間から入射する外光を遮蔽する遮光フィン９とを備える。当該枠体に遮光フィン９を係止するための係止部２０が設けられている。遮光フィン９は、所定の生地１３の上端を掴持するための弾性変形可能な掴持手段（突起片９６ａ及び爪部９９）を備える。また、本発明に係るロールスクリーン１は、巻取パイプ３と取付フレーム２との間の隙間を遮蔽するためのフィン（遮光フィン９）を備え、取付フレーム２が固定金具６１を介して壁面に正面付けされている。【選択図】図３
2017180077.tif 000002
【特許請求の範囲】
【請求項１】
遮蔽材の開閉を可能とする遮蔽装置であって、
前記遮蔽材を開閉可能に支持する開閉支持手段と、
前記開閉支持手段を支持する枠体と、
前記枠体と前記開閉支持手段との間から入射する外光を遮蔽する遮光フィンとを備え、
前記枠体に前記遮光フィンを係止するための係止部が設けられ、
前記遮光フィンは、所定の生地の上端を掴持するための弾性変形可能な掴持手段を備えることを特徴とする遮蔽装置。
【請求項２】
前記遮光フィンは、前記掴持手段の一部を変形させて当該所定の生地の上端を掴持するよう構成されていることを特徴とする、請求項１に記載の遮蔽装置。
【請求項３】
前記掴持手段の左右両端部の部分的に、当該所定の生地を狭圧するための、永久変形を伴う狭圧部、着脱可能で弾性変形可能な狭圧部材、及び外的な押圧で弾性変形可能な狭圧部位のうち少なくとも１つ以上が設けられていることを特徴とする、請求項１又は２に記載の遮蔽装置。
【請求項４】
遮蔽材の開閉を可能とする遮蔽装置であって、
前記遮蔽材を開閉可能に支持する開閉支持手段と、
前記開閉支持手段を支持する枠体と、
前記枠体と前記開閉支持手段との間から入射する外光を遮蔽する遮光フィンとを備え、
前記枠体に前記遮光フィンを係止するための係止部が設けられ、
前記遮光フィンは、所定の生地の上端を掴持するための掴持手段を備え、該掴持手段は、一部を永久変形させて当該所定の生地の上端を掴持するよう構成されていることを特徴とする遮蔽装置。
【請求項５】
前記遮光フィンは、前記掴持手段により掴持した際の当該所定の生地の下端のバタツキを抑制且つ圧接しない凹部を備えることを特徴とする、請求項１から４のいずれか一項に記載の遮蔽装置。
【請求項６】
前記掴持手段は、正面又は側方からの挿し込みにより当該所定の生地を保持可能に構成されていることを特徴とする、請求項１から５のいずれか一項に記載の遮蔽装置。
【請求項７】
前記掴持手段は、当該所定の生地を狭持するための爪部を有することを特徴とする、請求項１から６のいずれか一項に記載の遮蔽装置。
【請求項８】
前記枠体が、固定金具を介して壁面に固定されていることを特徴とする、請求項１から７のいずれか一項に記載の遮蔽装置。
【請求項９】
前記固定金具は、当該遮蔽装置と正面付け対象の壁面との間に一定の隙間を有するよう構成されていることを特徴とする、請求項８に記載の遮蔽装置。
【請求項１０】
前記遮光フィンが、前記遮蔽材又は該遮蔽材に対する錘部材に当接した際に、回動するよう前記係止部に係止されていることを特徴とする、請求項１から９のいずれか一項に記載の遮蔽装置。
【請求項１１】
前記遮光フィンが、前記遮蔽材又は該遮蔽材に対する錘部材に対し当接しない範囲となるよう前記係止部に係止されていることを特徴とする、請求項１から１０のいずれか一項に記載の遮蔽装置。
【請求項１２】
前記遮光フィンが前記係止部に回動可能に係止され、前記遮光フィンの可動域が前記遮蔽材又は該遮蔽材に対する錘部材と当接しない範囲となるよう規制されていることを特徴とする、請求項１から１１のいずれか一項に記載の遮蔽装置。
【請求項１３】
前記遮光フィンが前記係止部に回動可能に係止され、前記遮光フィンの可動域が前記枠体を取付面に取着するのに用いるブラケット又は該取付面に対し当接しない範囲となるよう規制されていることを特徴とする、請求項１から１２のいずれか一項に記載の遮蔽装置。
【請求項１４】
前記遮蔽材の開閉動作を行う操作コードに移動制限部材が設けられ、前記遮光フィンと遮蔽材に対する錘部材とが当接しないよう規制されていることを特徴とする、請求項１から１３のいずれか一項に記載の遮蔽装置。
【請求項１５】
前記遮光フィンは、前記遮蔽材の左右方向の最大開閉径における該遮蔽材又は該遮蔽材に対する錘部材に対し所定の遊間を持つよう全体として略Ｌ字断面形状を有することを特徴とする、請求項１から１４のいずれか一項に記載の遮蔽装置。
【請求項１６】
前記遮光フィンの下端は、前記遮蔽材から遠ざかる方向に反り返る形状を有することを特徴とする、請求項１から１５のいずれか一項に記載の遮蔽装置。
【請求項１７】
所定の支持部材を介して枠体に支持される巻取パイプによりスクリーンを巻取可能とするロールスクリーンであって、
前記巻取パイプと前記枠体との間の隙間を遮蔽するためのフィンを備え、前記枠体が前記巻取パイプを下方に支持した状態で、固定金具を介して壁面に固定されていることを特徴とするロールスクリーン。
【請求項１８】
前記固定金具は、当該ロールスクリーンと前記壁面との間に一定の隙間を有するよう構成されていることを特徴とする、請求項１７に記載のロールスクリーン。
【請求項１９】
前記固定金具は、ブラケットを用いて前記枠体を支持するよう構成されていることを特徴とする、請求項１７又は１８に記載のロールスクリーン。
【請求項２０】
前記フィンは、前記枠体、前記枠体に接続される所定の支持部材、前記固定金具、前記ブラケット、或いは前記固定金具に固定される所定の吊下支持部材のいずれかに対し、回動可能又は回動不能に支持されていることを特徴とする、請求項１７から１９のいずれか一項に記載のロールスクリーン。
【請求項２１】
前記枠体に軸受部が設けられ、前記フィンは前記軸受部に軸支されていることを特徴とする、請求項１７から２０のいずれか一項に記載のロールスクリーン。
【請求項２２】
前記軸受部は、前記枠体の左右方向に亘って連なって形成されていることを特徴とする、請求項２１に記載のロールスクリーン。
【請求項２３】
前記フィンは、前記枠体の左右方向に亘って連なって、前記枠体に対し直接又は間接的に支持されていることを特徴とする、請求項１７から２０のいずれか一項に記載のロールスクリーン。
【請求項２４】
前記フィンは、前記巻取パイプにおける当該スクリーンの巻太りを許容するよう前記枠体から前方に突出する支持板部と、該支持板部から下方に向かう遮蔽板部とを有することを特徴とする、請求項１７から２３のいずれか一項に記載のロールスクリーン。
【請求項２５】
前記フィンは、所定の基本姿勢時に、前記遮蔽板部が前記壁面と略平行となるよう前記枠体に対し直接又は間接的に支持されていることを特徴とする、請求項２４に記載のロールスクリーン。
【発明の詳細な説明】
【技術分野】
【０００１】
本発明は、遮蔽材の開閉を可能とする遮蔽装置、及びロールスクリーンに関する。
【背景技術】
【０００２】
従来、遮蔽材の開閉を可能とする遮蔽装置として、ロールスクリーンや横型ブラインド、たくし上げカーテン、プリーツスクリーン等がある。
【０００３】
例えば、ロールスクリーンは、枠体により巻取軸を支持し、スクリーンの上縁部を巻取軸に取着して垂下させ、遮蔽材（スクリーン）の下縁部に錘部材を設けておくことで、巻取軸によってスクリーンの巻取り又は巻戻しを行うことにより室内への採光量を調節可能に構成される。
【０００４】
そこで、スクリーンを巻き取る巻取軸と、この巻取軸を支持する枠体の下面との間の隙間を防止するために、枠体の下面に基端縁を回動可能に支持して巻取軸の周面上に垂下させる隙間防止部材を設ける技法が開示されている（例えば、特許文献１参照）。
【先行技術文献】
【特許文献】
【０００５】
【特許文献１】実公平４−４８３１６号公報
【発明の概要】
【発明が解決しようとする課題】
【０００６】
前述した特許文献１に開示される技法では、当該隙間防止部材により巻取軸と枠体（例えばロールスクリーンであれば取付フレーム）の下面との間の隙間を塞ぐことができるため、スクリーンを下降させて遮蔽状態としているときの遮光性を高めることができる点で有効である。
【０００７】
しかしながら、特許文献１に開示される技法では、枠体の下面に取着された当該隙間防止部材は、錘部材（ウェイトバー）の衝突で破損するおそれのある構造をしており、改善の余地がある。また、スクリーンを比較的硬質な材料を用いて構成すると、このスクリーンが当該隙間防止部材に接触した際に、その接触音が操作者に不快感を生じさせることもあり、改善の余地がある。
【０００８】
更に、特許文献１に開示される技法では、当該遮光機能を有する隙間防止部材（以下、「遮光フィン」と称する）の基端縁を遮蔽装置の枠体（例えばロールスクリーンであれば取付フレーム）の下面に取着する必要があるため、当該遮光フィンを遮蔽装置の枠体へ容易に取り付けることができず、組付性の観点で改善の余地がある。
【０００９】
また、遮光フィンを遮蔽装置の枠体に取り付けた際に、その意匠性や操作性を損なうことが無い態様で品質を維持する形態とするには更なる工夫が必要となる。
【００１０】
特に、同一の遮光フィンを種々の遮蔽装置の枠体に取り付け可能とすることも考慮して、遮蔽装置の操作性や品質、或いは意匠性に悪影響を及ぼすことが無い形状の遮光フィンが望まれる。
【００１１】
また、仮に貼着等で遮光フィンに所定の生地を取着しようとすると、撓みが生じ意匠性を損なう点や、その取着を如何にして容易にするかという問題が生じる。
【００１２】
更に、従来技法に基づいてロールスクリーンを正面付けする場合では、そのロールスクリーンに対し遮光フィンを取り付けることができなかったという課題がある。
【００１３】
本発明の目的は、上述の問題に鑑みて、意匠性や操作性を向上させ、所定の生地を容易に取着可能とした遮光フィンを有する遮蔽装置を提供することにある。
【００１４】
更に、本発明の別の目的は、壁面に正面付け可能とした、遮光フィンを有するロールスクリーンを提供することにある。
【課題を解決するための手段】
【００１５】
本発明による第１態様の遮蔽装置は、遮蔽材の開閉を可能とする遮蔽装置であって、前記遮蔽材を開閉可能に支持する開閉支持手段と、前記開閉支持手段を支持する枠体と、前記枠体と前記開閉支持手段との間から入射する外光を遮蔽する遮光フィンとを備え、前記枠体に前記遮光フィンを係止するための係止部が設けられ、前記遮光フィンは、所定の生地の上端を掴持するための弾性変形可能な掴持手段を備えることを特徴とする。
【００１６】
また、本発明による第１態様の遮蔽装置において、前記遮光フィンは、前記掴持手段の一部を変形させて当該所定の生地の上端を掴持するよう構成されていることを特徴とする。
【００１７】
また、本発明による第１態様の遮蔽装置において、前記掴持手段の左右両端部の部分的に、当該所定の生地を狭圧するための、永久変形を伴う狭圧部、着脱可能で弾性変形可能な狭圧部材、及び外的な押圧で弾性変形可能な狭圧部位のうち少なくとも１つ以上が設けられていることを特徴とする。
【００１８】
更に、本発明による第２態様の遮蔽装置は、遮蔽材の開閉を可能とする遮蔽装置であって、前記遮蔽材を開閉可能に支持する開閉支持手段と、前記開閉支持手段を支持する枠体と、前記枠体と前記開閉支持手段との間から入射する外光を遮蔽する遮光フィンとを備え、前記枠体に前記遮光フィンを係止するための係止部が設けられ、前記遮光フィンは、所定の生地の上端を掴持するための掴持手段を備え、該掴持手段は、一部を永久変形させて当該所定の生地の上端を掴持するよう構成されていることを特徴とする。
【００１９】
また、本発明による第１及び第２態様の遮蔽装置において、前記遮光フィンは、前記掴持手段により掴持した際の当該所定の生地の下端のバタツキを抑制且つ圧接しない凹部を備えることを特徴とする。
【００２０】
また、本発明による第１及び第２態様の遮蔽装置において、前記掴持手段は、正面又は側方からの挿し込みにより当該所定の生地を保持可能に構成されていることを特徴とする。
【００２１】
また、本発明による第１及び第２態様の遮蔽装置において、前記掴持手段は、当該所定の生地を狭持するための爪部を有することを特徴とする。
【００２２】
また、本発明による第１及び第２態様の遮蔽装置において、前記枠体が、固定金具を介して壁面に固定されていることを特徴とする。
【００２３】
また、本発明による第１及び第２態様の遮蔽装置において、前記固定金具は、当該遮蔽装置と正面付け対象の壁面との間に一定の隙間を有するよう構成されていることを特徴とする。
【００２４】
また、本発明による第１及び第２態様の遮蔽装置において、前記遮光フィンが、前記遮蔽材又は該遮蔽材に対する錘部材に当接した際に、回動するよう前記係止部に係止されていることを特徴とする。
【００２５】
また、本発明による第１及び第２態様の遮蔽装置において、前記遮光フィンが、前記遮蔽材又は該遮蔽材に対する錘部材に対し当接しない範囲となるよう前記係止部に係止されていることを特徴とする。
【００２６】
また、本発明による第１及び第２態様の遮蔽装置において、前記遮光フィンが前記係止部に回動可能に係止され、前記遮光フィンの可動域が前記遮蔽材又は該遮蔽材に対する錘部材と当接しない範囲となるよう規制されていることを特徴とする。
【００２７】
また、本発明による第１及び第２態様の遮蔽装置において、前記遮光フィンが前記係止部に回動可能に係止され、前記遮光フィンの可動域が前記枠体を取付面に取着するのに用いるブラケット又は該取付面に対し当接しない範囲となるよう規制されていることを特徴とする。
【００２８】
また、本発明による第１及び第２態様の遮蔽装置において、前記遮蔽材の開閉動作を行う操作コードに移動制限部材が設けられ、前記遮光フィンと遮蔽材に対する錘部材とが当接しないよう規制されていることを特徴とする。
【００２９】
また、本発明による第１及び第２態様の遮蔽装置において、前記遮光フィンは、前記遮蔽材の左右方向の最大開閉径における該遮蔽材又は該遮蔽材に対する錘部材に対し所定の遊間を持つよう全体として略Ｌ字断面形状を有することを特徴とする。
【００３０】
また、本発明による第１及び第２態様の遮蔽装置において、前記遮光フィンの下端は、前記遮蔽材から遠ざかる方向に反り返る形状を有することを特徴とする。
【００３１】
更に、本発明によるロールスクリーンは、所定の支持部材を介して枠体に支持される巻取パイプによりスクリーンを巻取可能とするロールスクリーンであって、前記巻取パイプと前記枠体との間の隙間を遮蔽するためのフィンを備え、前記枠体が前記巻取パイプを下方に支持した状態で、固定金具を介して壁面に固定されていることを特徴とする。
【００３２】
また、本発明によるロールスクリーンにおいて、前記固定金具は、当該ロールスクリーンと前記壁面との間に一定の隙間を有するよう構成されていることを特徴とする。
【００３３】
また、本発明によるロールスクリーンにおいて、前記固定金具は、ブラケットを用いて前記枠体を支持するよう構成されていることを特徴とする。
【００３４】
また、本発明によるロールスクリーンにおいて、前記フィンは、前記枠体、前記枠体に接続される所定の支持部材、前記固定金具、前記ブラケット、或いは前記固定金具に固定される所定の吊下支持部材のいずれかに対し、回動可能又は回動不能に支持されていることを特徴とする。
【００３５】
また、本発明によるロールスクリーンにおいて、前記枠体に軸受部が設けられ、前記フィンは前記軸受部に軸支されていることを特徴とする。
【００３６】
また、本発明によるロールスクリーンにおいて、前記軸受部は、前記枠体の左右方向に亘って連なって形成されていることを特徴とする。
【００３７】
また、本発明によるロールスクリーンにおいて、前記フィンは、前記枠体の左右方向に亘って連なって、前記枠体に対し直接又は間接的に支持されていることを特徴とする。
【００３８】
また、本発明によるロールスクリーンにおいて、前記フィンは、前記巻取パイプにおける当該スクリーンの巻太りを許容するよう前記枠体から前方に突出する支持板部と、該支持板部から下方に向かう遮蔽板部とを有することを特徴とする。
【００３９】
また、本発明によるロールスクリーンにおいて、前記フィンは、所定の基本姿勢時に、前記遮蔽板部が前記壁面と略平行となるよう前記枠体に対し直接又は間接的に支持されていることを特徴とする。
【発明の効果】
【００４０】
本発明によれば、意匠性や操作性を向上させ、所定の生地を容易に取着可能とした遮光フィンを有する遮蔽装置を構成することができる。また、本発明に係る遮光フィンをロールスクリーンに取着した際に、スクリーンを比較的硬質な材料を用いて構成した場合でも、そのスクリーンが当該遮光フィンへ接触しないか、又は接触した場合でもその接触負荷を軽減させることで、当該接触音等の悪影響を除去又は軽減させることができる。
【００４１】
更に、本発明によれば、固定金具を用いることで遮光フィンを有する遮蔽装置を壁面に正面付けすることができる。特に、正面付けされた本発明に係るロールスクリーンは、巻取パイプと枠体との間の隙間を遮蔽するためのフィンにより、巻き取られているスクリーン上に埃が積もらないため、使用時に埃が飛散しないものとすることができ、更に、枠体近傍のスクリーンに対する直接光を確実に防止でき、スクリーンに対する耐色性を向上させることができる。
【図面の簡単な説明】
【００４２】
【図１】本発明による一実施形態の遮蔽装置としてのロールスクリーンの概略構成を示す正面図である。
【図２】本発明による一実施形態の遮蔽装置としてのロールスクリーンの概略構成を示す側面透視図である。
【図３】本発明による一実施形態の遮蔽装置としてのロールスクリーンにおける一実施例の遮光フィンの構成を示す側面図である。
【図４】本発明による一実施形態の遮蔽装置としてのロールスクリーンにおける一実施例の遮光フィン周辺の概略構成を示す分解斜視図である。
【図５】（ａ）,（ｂ）は、それぞれ本発明による一実施形態の遮蔽装置としてのロールスクリーンにおける一実施例の遮光フィンの動作を説明する側面図である。
【図６】（ａ）,（ｂ）は、それぞれ本発明による一実施形態の遮蔽装置としてのロールスクリーンにおける一実施例の遮光フィンの生地の取着に係る構造と、その比較例を示す側面図である。
【図７】（ａ），（ｂ），（ｃ）は、それぞれ本発明による一実施形態の遮蔽装置としてのロールスクリーンにおける一実施例の遮光フィンの生地の取着方法の一例を説明する側面図である。
【図８】（ａ），（ｂ），（ｃ）は、それぞれ本発明による一実施形態の遮蔽装置としてのロールスクリーンにおける一実施例の遮光フィンの動作例を個別に説明する側面図である。
【図９】（ａ）,（ｂ）は、それぞれ本発明による一実施形態の遮蔽装置としてのロールスクリーンを壁面に正面付けする際の実施例と、その比較例を示す側面図である。
【図１０】（ａ）,（ｂ）は、それぞれ本発明による変形例の遮蔽装置としてのロールスクリーンを壁面に正面付けする例を示す側面図である。
【図１１】（ａ），（ｂ），（ｃ）は、それぞれ本発明による一実施例の遮光フィンを別の実施形態の遮蔽装置としてのロールスクリーンに適用した際の構成を示すとともにその遮光フィンの動作を説明する側面図である。
【図１２】本発明による一実施形態の遮蔽装置としてのロールスクリーンにおける一実施例の遮光フィンに取着した生地の横ずれ防止に係る一例を説明する部分的な斜視図である。
【図１３】（ａ）,（ｂ）は、それぞれ本発明による一実施形態の遮蔽装置としてのロールスクリーンにおける一実施例の遮光フィンに取着した生地の横ずれ防止に係る別例の取り付け方法と、その取り付け後の状態を示す部分的な斜視図である。
【図１４】（ａ）,（ｂ）は、それぞれ本発明による一実施形態の遮蔽装置としてのロールスクリーンにおける一実施例の遮光フィンの生地の取着に係る別例と、その取り付け方法を説明する部分的な斜視図である。
【図１５】（ａ），（ｂ），（ｃ）は、それぞれ本発明による種々の遮蔽装置における典型的な遮光フィンの構成例を示す側面図である。
【図１６】（ａ）,（ｂ）は、それぞれ本発明による一実施形態の遮蔽装置としてのロールスクリーンにおける一実施例の遮光フィンの生地の取着に係る２つの構造例に関する斜視図である。
【発明を実施するための形態】
【００４３】
以下、図面を参照して、本発明による一実施形態の遮蔽装置としてのロールスクリーン１を説明する。尚、本願明細書中、図１に示すロールスクリーン１の正面図に対して、図示上方及び図示下方をスクリーン４の吊り下げ方向に準じてそれぞれ上方向（又は上側）及び下方向（又は下側）と定義し、図示左方向をロールスクリーン１の左側、及び、図示右方向をロールスクリーン１の右側と定義して説明する。また、以下に説明する例では、図１に示すロールスクリーン１の正面図に対して、視認する側を前側（又は室内側）、その反対側を後側（又は室外側）とし、ロールスクリーン１の前後方向と称するときは、図１の正面図における図示面に対して垂直な方向を云う。
【００４４】
（全体構成）
まず、図１及び図２を参照して、本発明による一実施形態の遮蔽装置としてのロールスクリーン１の構成を説明する。図１は、本発明に係るロールスクリーン１の概略構成を示す正面図であり、図２は、本発明に係るロールスクリーン１の側面透視図である。
【００４５】
図１に示すロールスクリーン１では、取付フレーム２の両端に支持部材２ａ，２ｂが固定され、その支持部材２ａ，２ｂには軸部材１１が固定されており、この軸部材１１から延びる固定軸（図示せず）によって、支持部材２ａ，２ｂ間に円筒状の巻取パイプ３が回転可能に支持される。取付フレーム２は、ブラケット６により取着面に固定される。各支持部材２ａ，２ｂは、サイドカバー１０によって収容され、後述するが、その意匠性と、遮光フィン９の回動動作に関する機能性を向上させている。
【００４６】
巻取パイプ３の右端部には操作プーリー８が設けられ、この操作プーリー８に掛回される無端状の操作コード７が垂下されている。本例では、この操作コード７をボールチェーンで構成し、このボールチェーンが掛回される操作プーリー８の表面を、そのボールチェーンのボール部に適合する形状の凹凸を有するように構成している。そして、操作コード７の操作により巻取パイプ３を回転操作可能としている。また、ボールチェーンで構成した操作コード７は、コード連結部材７ａによりコード端部が連結されて無端状となっている。尚、操作コード７を紐状とし、この操作コード７が掛回される操作プーリー８の表面を高摩擦性の表面形状としてもよい。
【００４７】
巻取パイプ３は、スクリーン４の一端を取着してスクリーン４を巻き取り、又は巻き戻し可能に吊下支持している。スクリーン４の他端は、錘部材として機能するウェイトバー５に取着されている。従って、スクリーン４はウェイトバー５の重量に基づいて張設される。尚、本実施形態の例では、スクリーン４は巻取パイプ３の室外側から垂下されている（図２参照）。
【００４８】
そして、操作コード７を操作して巻取パイプ３をスクリーン巻取り方向へ回転させるとウェイトバー５が上昇し、巻取パイプ３をスクリーン巻戻し方向へ回転させるとウェイトバー５が下降する。尚、ボールチェーンで構成した操作コード７上には移動制限部材１２を取着することができ、この移動制限部材１２により操作プーリー８等に当接させてその回転を停止させることができ、ウェイトバー５の上限位置が定める形態とすることもできる。
【００４９】
また、巻取パイプ３内において、その左端側にはスクリーン４の巻上時の操作力を軽減するスプリングモーター、右端側にはスクリーン４の自重降下を防止するストッパー装置等が収容されている（図示せず）。
【００５０】
ここで、本発明に係るロールスクリーン１では、所定の生地１３を容易に取着可能とした構造を有する遮光フィン９が取付フレーム２の前側（正面側）に取着され、巻取パイプ３と取付フレーム２との間で生じる隙間からの光漏れを効果的に遮蔽するようになっている。図２に示すように、詳細は後述するが、取付フレーム２の正面側に設けられている軸受部２０に遮光フィン９の軸部９１が係合しており、これにより遮光フィン９は、取付フレーム２の前側（正面側）で所定の範囲内で回動可能に支持される。以下、一実施例の遮光フィン９について詳細に説明する。
【００５１】
（遮光フィンの構成）
図３には、本実施形態のロールスクリーン１における一実施例の遮光フィン９の構成を示している。また、図４は、本実施形態のロールスクリーン１における一実施例の遮光フィン９周辺の概略構成を示す分解斜視図である。
【００５２】
図３及び図４を共に参照するに、遮光フィン９は、全体として略Ｌ字状の断面形状を有しており、取付フレーム２の前側（正面側）で回動可能に係止される。遮光フィン９は遮光性の高い合成樹脂やアルミニウム等により形成するのが好適であるが、本例のように生地１３を取着する場合には透明又は半透明の合成樹脂とすることもできる。
【００５３】
そして、遮光フィン９の左右方向幅は、取付フレーム２の左右方向幅よりもわずかに短い構成となっており、例えば遮光フィン９が合成樹脂で形成されているときに熱膨張等で左右方向幅が変化しても、スムーズに回動可能に係止されるようになっている。
【００５４】
取付フレーム２の正面下方には、その長手方向に延在する略Ｃ字断面形状の軸受部２０が形成されている。この軸受部２０に遮光フィン９の軸部９１が係合しており、これにより遮光フィン９は、取付フレーム２の背面側で回動可能に支持される。取付フレーム２の長手方向の両端部には支持部材２ａ，２ｂが取着されている。
【００５５】
尚、支持部材２ａ，２ｂは、同一形状で構成され、図４に示すように、取付フレーム２の軸受部２０の略Ｃ字断面形状とほぼ合致する大きさの切欠き２３が設けられている。この切欠き２３は、支持部材２ａ，２ｂを取付フレーム２へ固定した後で、遮光フィン９の軸部９１を左右方向からスライドさせて軸受部２０に挿入して支持可能にするために設けられている。そして、遮光フィン９をスライドさせて取り外し可能とし、このスライド以外は取り外し不可として遮光フィン９に外力が加わっても取付フレーム２から外れないようになっている。
【００５６】
また、支持部材２ａ，２ｂには、取付ネジを用いて取付フレーム２を固定するためのネジ孔２１や、巻取パイプ３を回転可能に支持する固定軸（図示せず）を持つ軸部材１１（図１参照）を固定するためのネジ孔２２が、複数個所に設けられている。即ち、巻取パイプ３を支持部材２ａ，２ｂによって支持した状態で、支持部材２ａ，２ｂを取付フレーム２へ固定した後でも、遮光フィン９の軸部９１を左右方向からスライドさせて軸受部２０に挿入して支持可能となっている。このため、遮光フィン９の取り付けが容易になる。
【００５７】
また、支持部材２ａ，２ｂの各ネジ孔２１，２２の取付ネジを外部から視認できないようにしてその意匠性を向上させる観点からサイドカバー１０を取着しているが、このサイドカバー１０には、遮光フィン９の回動動作に関する機能性を向上させる作用もある。
【００５８】
即ち、サイドカバー１０には、遮光フィン９のスムーズな回動を可能とするべく、遮光フィン９の回動範囲で遮光フィン９の左右方向の両端位置を規制するよう高さを持たせた壁部１０ａが形成されている。この壁部１０ａの高さは、支持部材２ａ，２ｂの厚みを収容するのに十分な高さとなっている。そして、サイドカバー１０は合成樹脂で形成され、金属材料で成形された支持部材２ａ，２ｂの外形に倣って狭圧して取着できるようになっており、壁部１０ａには支持部材２ａ，２ｂを掴持可能な内方に突出する爪部１０ｂが形成されている。これにより、遮光フィン９の回動動作に関して、爪部１０ｂや切欠き２３がその回動動作を阻害しないよう壁部１０ａに高さを持たせている。
【００５９】
つまり、遮光フィン９の左右端部が、支持部材２ａ，２ｂへ当接するより先にサイドカバー１０の壁部１０ａに当接して、遮光フィン９を回動可能にその係止位置を規制するよう構成しており、即ち遮光フィン９の左右方向の両端部を規制することで、その意匠性を確保し、光漏れ効果を高めつつ回動弊害を防止できるようにしている。尚、本例では、遮光フィン９の左右方向幅を取付フレーム２の左右方向幅よりもわずかに短い構成とし、サイドカバー１０の壁部１０ａで遮光フィン９を回動可能に規制するよう構成する例を示しているが、遮光フィン９の形状により支持部材２ａ，２ｂやサイドカバー１０を避けるようにしてもよい。
【００６０】
図３に示すように、取付フレーム２の正面下方には、その長手方向に延在する略Ｃ字断面形状の軸受部２０が形成されている。より具体的には、軸受部２０は、取付フレーム２の底部から上方に延びる回動規制片２０ａの先端に折曲軸２０ｆを形成し、遮光フィン９の軸部９１を支持可能にしている。回動規制片２０ａは、遮光フィン９の下方への回動を規制する機能を有する。また、取付フレーム２の背面における軸受部２０の上方には、遮光フィン９の上方への回動を規制する回動規制片２０ｂが形成されている。図示する例では、回動規制片２０ａは取付フレーム２の本体正面から前方に突出する略Ｃ字状で形成され、回動規制片２０ｂは後方に突出する略板状で形成されている。そして、遮光フィン９の軸部９１が軸受部２０に係止されている状態では、遮光フィン９の上下方向への回動が規制され、遮光フィン９をどのように回動させても背面方向へ軸受部２０から外れないようになっている。
【００６１】
遮光フィン９は、その概略構成として、先端に略Ｃ字状の軸部９１を有し取付フレーム２の前側面から前方へ長さａで屈曲して突出する支持板部９３と、この支持板部９３から下方へ長さｂで延びる遮蔽板部９４とにより、全体として略Ｌ字状の断面形状を有し、スクリーン４（或いは後述するウェイトバー５）との干渉による衝突力や接触音を回避又は緩和するよう複曲面形状の部材（単一部材でも復号部材でもよい）で形成されている。
【００６２】
より具体的には、支持板部９３は概ね略Ｌ字状に屈曲した形状を有し、その先端に略Ｃ字状の軸部９１が形成されている。軸部９１は軸受部２０における折曲軸２０ｆによって回動可能に係止される部位である。軸部９１の先端は鋭角に屈折した略鉤形状で形成され、軸受部２０に対して空間的余裕を持たせた状態で係合させることで、遮光フィン９が軸受部２０から外れにくくするとともに、遮光フィン９の回動自由度を高めている。
【００６３】
一方、このように回動自由度を高めた態様で遮光フィン９の軸部９１を軸受部２０に係止させると、遮光フィン９と回動規制片２０ｂの回動干渉により不快な干渉音（接触音）を生じさせることから、軸部９１には、厚みを変化させ回動範囲で肉厚を持たせた曲部９２を形成している。
【００６４】
また、支持板部９３の先端に設けられる軸部９１の付け根近傍には、当接部９７が形成されている。当接部９７は、詳細は後述するが回動規制片２０ｂと当接することで、遮光フィン９の上方への回動を規制する部位である。
【００６５】
このような軸部９１の形状とすることで、遮光フィン９が軸受部２０から外れにくくするとともに、ガタツキを抑制してその干渉音を軽減させつつ遮光フィン９の回動を許容するものとなっている。これにより、当接部９７と回動規制片２０ｂとの回動干渉に起因する不快な干渉音（接触音）も無視できるほど軽減させることができる。
【００６６】
また、支持板部９３の先端に設けられている軸部９１の下方には、突起部９８が形成されており、突起部９８は軸部９１と並んで支持板部９３から突出している。突起部９８は、詳細は後述するが、取付フレーム２における軸受部２０の回動規制片２０ａと当接する位置で遮光フィン９の下方への回動を規制する部位である。特に、突起部９８の先端は図示するように凹凸段差を持つ形状で構成され、回動規制片２０ａとの当接時の接触音や衝突力を緩和するよう作用する機能を持たせている。尚、本例の突起部９８は支持板部９３の左右方向へ延在して突出するよう形成されているが、支持板部９３の左右方向へ部分的に突出する形態でもよい。
【００６７】
そして、この支持板部９３から下方へ延びる遮蔽板部９４の下端には、曲面形状の干渉緩和部９５が形成されている。干渉緩和部９５は、スクリーン４（或いは後述する実施形態ではウェイトバー５）との接触が有るときでも、その接触音や衝突力を緩和するようスクリーン４（又はウェイトバー５）から遠ざかる方向に反り返る形状を有する。
【００６８】
また、遮蔽板部９４の前面上端及び下端には、それぞれ略鉤断面形状で突出する突起片９６ａ，９６ｂが設けられ、生地１３の上端及び下端を係合させる凹部を形成している。特に、遮蔽板部９４の前面上端には、突起片９６ａの内側に爪部９９が形成されており、突起片９６ａ及び爪部９９は生地押さえとして機能する掴持手段として構成される。一方、遮蔽板部９４の前面下端における突起片９６ｂは、生地１３のバタツキを抑えるための部位であり、バタツキを抑制且つ圧接しない凹部が形成される。生地１３の取着に関する説明は詳細に後述する。
【００６９】
（遮光フィンの下側及び上側回動規制構造）
図５（ａ），（ｂ）は、本実施形態のロールスクリーン１における一実施例の遮光フィン９の動作を説明する側面図であり、特に、図５（ａ）には遮光フィン９の下側回動規制に関して、図５（ｂ）には遮光フィン９の上側回動規制に関して図示している。
【００７０】
図５（ａ）に示すように、支持板部９３の先端に設けられている軸部９１の下方には、突起部９８が形成されており、突起部９８は軸部９１と並んで支持板部９３から突出している。遮光フィン９は、軸部９１により軸受部２０における折曲軸２０ｆによって回動可能に係止される。遮光フィン９に設けられる突起部９８は、取付フレーム２における軸受部２０の回動規制片２０ａと当接する位置で遮光フィン９の下方への回動を規制する機能を有する。このとき、遮光フィン９は、その基本姿勢として、遮光フィン９の遮蔽板部９４の長手方向が取付フレーム２の前後方向に対しほぼ垂直（鉛直方向への垂下）になるように規制している。このように、遮光フィン９をロールスクリーン１の取付フレーム２に取り付けたときの基本姿勢として遮光フィン９の遮蔽板部９４の長手方向が取付フレーム２の前後方向に対しほぼ垂直（鉛直方向への垂下）となるため、その意匠性を向上させている。
【００７１】
また、図５（ｂ）に示すように、遮光フィン９に設けられる軸部９１の付け根近傍には、当接部９７が形成されている。当接部９７は、当該基本姿勢から遮光フィン９が回動した際に回動規制片２０ｂと当接することで遮光フィン９の上方への回動を規制する部位である。これにより、遮光フィン９がブラケット６やその取付面に対し非当接となるようになっている。このように、遮光フィン９をロールスクリーン１の取付フレーム２に取り付けた場合の操作性を損なうことなく、その品質を維持することができる。
【００７２】
（遮光フィンに対する生地の取着方法）
図６（ａ）は、本実施形態のロールスクリーン１における一実施例の遮光フィン９の生地１３の取着に係る構造を示す側面図であり、図６（ｂ）はその比較例を示している。また、図７（ａ），（ｂ），（ｃ）には、本実施形態のロールスクリーン１における一実施例の遮光フィン９の生地１３の取着方法の一例を示している。
【００７３】
まず、図６（ａ）に示すように、本実施例に係る遮光フィン９には、遮蔽板部９４の前面上端及び下端に、それぞれ略鉤断面形状で突出する突起片９６ａ，９６ｂが設けられ、生地１３の上端及び下端を係合させる凹部を形成している。特に、遮蔽板部９４の前面上端には、突起片９６ａの内側に爪部９９が形成されており、突起片９６ａ及び爪部９９は生地押さえとして機能する掴持手段として構成される。一方、遮蔽板部９４の前面下端における突起片９６ｂは、生地１３のバタツキを抑えるための部位であり、バタツキを抑制且つ圧接しない凹部が形成される。
【００７４】
例えば、本実施例に係る遮光フィン９に生地１３を取り付ける際には、遮光フィン９の左右端部側から挿通して取着することも可能であるが、遮光フィン９の正面側から取り付けるほうがより簡単に取着できる。例えば図７に示すように、まず突起片９６ａ及び爪部９９により生地１３の上端を係着させ（図７（ａ）参照）、続いて生地１３の下端を突起片９６ｂにより形成される凹部に差し込む（図７（ｂ）参照）。このように、簡単に遮光フィン９に生地１３を取り付けることができる。また、本実施例に係る遮光フィン９は、生地１３の上端のみを係着させる構造となっているため、生地１３に撓みが生じることがなく、その意匠性を向上させることができる。そして、遮蔽板部９４の前面上端及び下端における突起片９６ａ，９６ｂにより、遮光フィン９の回動動作で上下方向に生地１３のずれが生じた場合でも、その機能及び意匠性を損なうことが無い。
【００７５】
そして、仮に貼着等で遮光フィン９に生地１３を取着することや、図６（ｂ）に示すような遮蔽板部９４の前面下端にも爪部９９を設けて生地押さえとして機能させる掴持手段を構成すると、生地１３に撓みが生じこの撓みを無くすよう取り付ける際に大きな作業負担が生じる。従って、本実施例に係る遮光フィン９のように、生地１３の上端のみを係着させる構造とするのが好適であり、生地１３に撓みが生じさせることなく容易に取り付けることができる。
【００７６】
（遮光フィンの動作及び多用途適合性）
図８（ａ），（ｂ），（ｃ）は、それぞれ本実施形態のロールスクリーン１における一実施例の遮光フィン９の動作例を個別に説明する側面図である。
【００７７】
図８（ａ）に示すように、本実施例の遮光フィン９は、取付フレーム２の前側面から前方へ長さａで屈曲して突出する支持板部９３と、支持板部９３から下方へ長さｂで延びる遮蔽板部９４とにより、全体として略Ｌ字状の断面形状を有している。
【００７８】
遮蔽板部９４の長さｂは、取付フレーム２と巻取パイプ３との間の隙間から生じる光漏れを防ぐ長さで形成されている。支持板部９３の長さａは、操作コード７の操作に悪影響を与えない範囲に設定されている。仮に、本実施例の遮光フィン９に操作コード７が接触するように操作する場合でも、遮光フィン９は回動するため操作負担を生じさせないようになっている。
【００７９】
また、図８（ｂ）に示すように、本実施例の遮光フィン９を、スクリーン４の最大巻取径Ｓが比較的小さいロールスクリーン１に適用する場合では、スクリーン４と遮光フィン９とが接触することが無く、その基本姿勢として、遮光フィン９の遮蔽板部９４の長手方向が取付フレーム２の前後方向に対しほぼ垂直な状態（鉛直方向への垂下となる状態）を維持しつつ遮光機能を保持できる。
【００８０】
一方、図８（ｃ）に示すように、本実施例の遮光フィン９を、スクリーン４の最大巻取径Ｓが比較的大きいロールスクリーン１に適用する場合では、スクリーン４と遮光フィン９とが接触する場合でも、スクリーン４の巻太りに倣って遮光フィン９を回動させることができ、その遮光機能を保持できる。
【００８１】
ところで、従来技法に基づいてロールスクリーン１を壁面に正面付けする場合では、そのロールスクリーン１に対し遮光フィン９を取り付けることができなかったという課題がある。
【００８２】
図９（ａ）は、本実施形態のロールスクリーン１を壁面（例えば横壁面）Ｗに正面付けする際の実施例を示しており、図９（ｂ）は、その比較例である。
【００８３】
図９（ａ）に示すように、固定金具６１（本例ではＬ字金具）を用いることで遮光フィン９を有する本実施形態のロールスクリーン１を壁面Ｗに正面付けすることができる。固定金具６１は、取付ネジを利用して固定金具６１の第１取付孔６１ａを介してブラケット６を固定するとともに固定金具６１の第２取付孔６１ｂを介して壁面Ｗに正面付けする。このように固定金具６１を利用して壁面Ｗに固定されるブラケット６に対し、本実施形態のロールスクリーン１の取付フレーム２を取着することができる。
【００８４】
特に、固定金具６１は、ロールスクリーン１と壁面Ｗとの間に一定の隙間を有して本実施形態のロールスクリーン１を壁面Ｗに正面付けするよう構成されている。これにより、スクリーン４が巻き取られウェイトバー５が上限位置となるときに、ウェイトバー５と壁面Ｗに衝突するのを防止することができる。
【００８５】
即ち、図９（ｂ）に示すように、従来技法に基づいてロールスクリーン１を正面付けする場合では、そのロールスクリーン１に対し本実施例の遮光フィン９を取り付けることができなかったが、固定金具６１（本例ではＬ字金具）を用いることで遮光フィン９を有する本実施形態のロールスクリーン１を壁面Ｗに正面付けすることができる。
【００８６】
また、遮光フィン９を有する本実施形態のロールスクリーン１を壁面Ｗに正面付けした構成では、遮光フィン９により、巻き取られているスクリーン４上に埃が積もらないため、使用時に埃が飛散しないという効果がある。
【００８７】
また、巻き取られているスクリーン４を長期にわたり放置しておくと直接的な外光によりスクリーン４の色劣化ムラが生じることがあるが、遮光フィン９を有する本実施形態のロールスクリーン１を壁面Ｗに正面付けした構成では、遮光フィン９により、取付フレーム２近傍のスクリーン４に対する直接光を確実に防止でき、スクリーン４に対する耐色性を向上させることができる。
【００８８】
また、図９に示すロールスクリーンでは、取付フレーム２に設けられる軸受部２０に対し遮光フィン９が軸支されているため、取付フレーム２を天井面に固定した場合と同様に、正面視した際の意匠性を向上させることができる。
【００８９】
また、図９に示すロールスクリーンでは、軸受部２０が、図４を参照して説明したように、取付フレーム２の左右方向に亘って連なって形成されているため、外的干渉等があっても容易には外れないようになっている。
【００９０】
尚、図９に示す実施形態の変形例として、ブラケット６を介し固定金具６１（本例ではＬ字金具）を用いてロールスクリーン１を壁面Ｗに正面付けする際に、遮光フィン９を取付フレーム２の軸受部２０で支持する構成とする代わりに、遮光フィン９の形状を変形し、遮光フィン９をブラケット６又は固定金具６１（本例ではＬ字金具）により支持する構成とすることができる。
【００９１】
例えば、図１０（ａ），（ｂ）には、本発明による変形例の遮蔽装置としてのロールスクリーン１を壁面に正面付けする例を示している。尚、図１０（ａ），（ｂ）において、上述の実施形態と同様な構成要素には同一の参照番号を付している。
【００９２】
まず、図１０（ａ）に示す変形例では、図３に示す遮光フィン９の形状のうち支持板部９３の先端に略Ｃ字状の軸部９１を設ける代わりに、支持板部９３の当該先端を上方に向かう部位９３ａと、この部位９３ａを経て後方へ向かう部位９３ｂとを持つようＬ字屈曲させたものとしている。部位９３ａは、限定するものではないが意匠性の観点からロールスクリーン１の左右方向のほぼ全域に亘って遮蔽された板状体とすることができる。部位９３ｂは、固定金具６１（本例ではＬ字金具）を用いてブラケット６と共に固定するための部位であり、固定金具６１で固定可能とする板状片とするか、又は固定金具６１で固定可能とする切欠きを設けロールスクリーン１の左右方向のほぼ全域に亘ってほぼ遮蔽された板状体とすることができる。
【００９３】
そして、図１０（ａ）に示す変形例の遮光フィン９では、図３に示す遮光フィン９とは異なり回動不能なものとして構成されるが、図１０（ａ）に示す支持板部９３は、ロールスクリーン１の本体から前方へ屈曲して突出し遮蔽板部９へと連なるよう構成している点で図３に示す遮光フィン９の機能と同様であり、スクリーン４の一定量の巻太りを許容し、スクリーン４（或いは後述するウェイトバー５）との干渉による衝突力や接触音を回避又は緩和できるようになっている。
【００９４】
一方、図１０（ｂ）に示す変形例では、図３に示す遮光フィン９の形状のうち支持板部９３の先端に設ける略Ｃ字状の軸部９１を図示するように変形するとともに、この軸部９１を吊下支持するための吊下支持部材６２を利用する形態としている。
【００９５】
吊下支持部材６２は、その下端に軸受部６２ｃを有し上方に向かう部位６２ａと、この部位６２ａを経て後方へ向かう部位６２ｂとを持つようＬ字屈曲させたものとしている。この軸受部６２ｃの機能は、図３に示す遮光フィン９を支持するための取付フレーム２の正面側に設けられている軸受部２０と同様である。本例においても、部位６２ａは、限定するものではないが意匠性の観点からロールスクリーン１の左右方向のほぼ全域に亘って遮蔽された板状体とすることができる。部位６２ｂは、固定金具６１（本例ではＬ字金具）を用いてブラケット６と共に固定するための部位であり、固定金具６１で固定可能とする板状片とするか、又は固定金具６１で固定可能とする切欠きを設けロールスクリーン１の左右方向のほぼ全域に亘ってほぼ遮蔽された板状体とすることができる。
【００９６】
そして、図１０（ｂ）に示す変形例の遮光フィン９では、図３に示す遮光フィン９と同様に回動可能なものとして構成され、図３に示す遮光フィン９が持つ全ての機能を包含する。
【００９７】
また、更なる変形例として、遮光フィン９をブラケット６又は固定金具６１により支持する際に、ブラケット６や固定金具６１の形状を変形して、遮光フィン９を回動可能又は回動不能に支持する構成とすることもできる。従って、遮光フィン９は、取付フレーム２、ブラケット６又は固定金具６１に対し、直接的に支持する構成とするか、又は用途に応じて適宜形状を適応化させた吊下支持部材６２を用いて間接的に持する構成とすることができる。
【００９８】
また、遮光フィン９は、外光を遮光する目的で設ける以外にも、通気性を遮蔽する目的で構成してもよく、この場合には透光性の材料で構成してもよいことから、本願明細書中、単に「フィン」と称するときは、図９（ａ）及び図１０（ａ），（ｂ）に例示する形状などの様々な支持形態を含み、遮光目的や遮風目的など多目的の遮蔽部材をいうものとする。
【００９９】
従って、固定金具６１（本例ではＬ字金具）を用いることで当該フィンを有する本実施形態のロールスクリーン１を壁面Ｗに正面付けすることができ、当該フィンにより埃の飛散防止及び、スクリーン４に対する耐色性を向上させることができる。
【０１００】
また、図１１（ａ），（ｂ），（ｃ）には、本実施例の遮光フィン９を別の実施形態のロールスクリーン１に適用した際の構成を示している。
【０１０１】
図１１（ａ）に示す例では、本実施例の遮光フィン９側に巻取パイプ３からスクリーン４を垂下し、遮光フィン９と巻取パイプ３との間にウェイトバー５が位置する例である。このような場合、本実施例の遮光フィン９には、支持板部９３から下方へ延びる遮蔽板部９４の下端に曲面形状の干渉緩和部９５が形成されているため、ウェイトバー５との干渉で引っ掛かりを生じることがない。
【０１０２】
また、図１１（ｂ）に示すように、ウェイトバー５の上限位置が取付フレーム２へ当接する位置に設定されている場合でも、遮光フィン９における干渉緩和部９５から遮蔽板部９４にかけてウェイトバー５がスムーズに移動して遮光フィン９が回動するため、その操作性を損ねることが無い。また、図５（ｂ）を参照して説明したように、遮光フィン９に設けられる軸部９１の付け根近傍には、当接部９７が形成されており、当接部９７は、当該基本姿勢から遮光フィン９が回動した際に回動規制片２０ｂと当接することで遮光フィン９の上方への回動を規制している。これにより、遮光フィン９がブラケット６やその取付面に対し非当接となり、ウェイトバー５の衝突で遮光フィン９が破損するおそれもない。従って、遮光フィン９をロールスクリーン１の取付フレーム２に取り付けた場合の操作性を損なうことなく、その品質を維持することができる。
【０１０３】
また、図１１（ｃ）に示すように、遮光フィン９の遮蔽板部９４の長手方向が取付フレーム２の前後方向に対しほぼ垂直な状態（鉛直方向への垂下となる状態）となる基本姿勢を常に維持させたい場合には、操作コード７上に取着した移動制限部材１２の位置を調整することで、この移動制限部材１２により操作プーリー８等に当接させてその回転を停止させ、ウェイトバー５の上限位置を定めることができる。これにより、遮光フィン９がブラケット６やその取付面に対し非当接となり、ウェイトバー５の衝突で遮光フィン９が破損するおそれもない。そして、常時、遮光フィン９の遮蔽板部９４の長手方向が取付フレーム２の前後方向に対しほぼ垂直な状態（鉛直方向への垂下となる状態）となる基本姿勢を維持させることができ、その意匠性及び品質を維持することができる。
【０１０４】
従って、図８乃至図１１に示されるように、本実施例の遮光フィン９は、種々のロールスクリーン１の取付フレーム２に取り付けることが可能であり、尚且つその操作性や品質、或いは意匠性に悪影響を及ぼすことが無いものとなっている。
【０１０５】
（遮光フィンの生地の取着に関する変形例）
上述した一実施例の遮光フィン９では、生地１３の取着に関して、図６及び図７を参照して説明したように、遮蔽板部９４の前面上端及び下端に、それぞれ略鉤断面形状で突出する突起片９６ａ，９６ｂを設け、突起片９６ａ及び爪部９９を生地押さえとして機能させる掴持手段を構成する例を説明した。そして、突起片９６ａ，９６ｂにより、遮光フィン９の回動動作で上下方向に生地１３のずれが生じた場合でも、その機能及び意匠性を損なうことが無い。
【０１０６】
しかしながら、生地１３が薄地である場合など、遮光フィン９の回動動作で左右方向に生地１３のずれが生じる場合には、その意匠性を損なうおそれがある。そこで、図１２に示すように、遮光フィン９の遮蔽板部９４における左右両端部で、爪部９９の上部に永久変形を伴う狭圧部１００を設けるようにするのが好適である。即ち、図６及び図７を参照して説明したように、生地１３を遮光フィン９に取り付けた後、ペンチ等の治具を用いてかしめることで永久変形させて狭圧部１００を形成する。このように永久変形を伴う狭圧部１００を設けることにより、生地１３の左右方向のずれを抑制することができる。
【０１０７】
或いは、このような永久変形を伴う狭圧部１００を設ける代わりに、生地１３を遮光フィン９に取り付けた後、図１３（ａ）に示すように遮光フィン９の遮蔽板部９４における左右両端部で、ゴム材又は合成樹脂からなる所定形状（本例ではコの字状）の狭圧部材１０１を爪部９９の上部に装着し、図１３（ａ）に示すように生地１３を狭圧する。このように着脱可能で弾性変形可能な狭圧部材１０１を設けることにより、生地１３の左右方向のずれを抑制することができる。
【０１０８】
或いは、このような狭圧部１００や狭圧部材１０１を設ける代わりに、予め遮光フィン９の遮蔽板部９４における左右両端部に狭圧部位１０２を設けておくこともできる。例えば図１４（ａ）に示すように、遮蔽板部９４における左右両端部に弾性変形可能な狭圧部位１０２を有する孔部１０２ａを設けておき、図１４（ｂ）に示すように孔部１０２ａから狭圧部位１０２を押圧して弾性変形させ、図１４（ｃ）に示すように生地１３を狭圧する。このように外的な押圧で弾性変形可能な狭圧部位１０２を設けることにより、生地１３の左右方向のずれを抑制することができる。
【０１０９】
（遮光フィンの構成例）
図１５（ａ），（ｂ），（ｃ）には、種々の遮蔽装置（ロールスクリーン１以外の物を含む）における典型的な遮光フィン９の構成例を示している。図１５（ａ）には、図３等を参照して上述した一実施例の遮光フィン９の構成を示している。
【０１１０】
図１５（ｂ）には、図１５（ａ）に示す構成と比較して、突起片９６ｂを設けていない例であり、その他の要素は同一である。即ち、図１５（ｂ）に示す例では、突起片９６ｂを設けていないため突起片９６ａ及び爪部９９を生地押さえとして機能させる掴持手段を構成し、生地１３を係着し垂下するため、遮光フィン９の回動時等で生地１３のバタツキが生じるおそれがあるものの、その他の観点については、図１５（ａ）における図３等を参照して上述した一実施例の遮光フィン９の全ての作用・効果を得ることができ、並びにその変形例を適用することができる。
【０１１１】
更に、図１５（ｃ）には、図１５（ａ）に示す構成と比較して、遮光フィン９を回動させることを要しない場合の典型例を示している。即ち、軸部９１を取付フレーム２に固定可能な形状とすることや、遮蔽板部９４を短尺化させ、生地１３に遮光機能を持たせている。従って、上述した特徴的な発明に係る要素を適宜選択的に採用し、適用する用途に応じて変形させることができる。
【０１１２】
また、図１６（ａ）,（ｂ）には、それぞれ本実施形態のロールスクリーン１における一実施例の遮光フィン９の生地１３の取着に係る２つの構造例に関する斜視図を示している。
【０１１３】
図１６（ａ）は、図３に示す遮光フィン９について、比較的厚みのある生地１３を、掴持手段として構成される突起片９６ａ及び爪部９９により掴持した際の詳細図を示している。このような比較的厚みのある生地１３を突起片９６ａ及び爪部９９により掴持すると、突起片９６ａが弾性変形した状態となり、遮蔽板部９４の長手方向を示すＡ−Ａ’に対し、突起片９６ａの長手方向を示すＢ−Ｂ’が非平行となる。この突起片９６ａが遮蔽板部９４に対し非平行となる点を意匠性の観点でより改善したい場合には、遮光フィン９の生地１３の掴持手段として、図１６（ｂ）に示すような構造とすることができる。
【０１１４】
図１６（ｂ）に示す例では、遮光フィン９の生地１３の掴持手段として、爪部９９が設けられておらず、突起片９６ａと、図１２に示す狭圧部１００とで構成される。この場合の突起片９６ａは弾性変形不能な剛体で構成している。狭圧部１００は、遮光フィン９の遮蔽板部９４における左右両端部で、生地１３を遮光フィン９に取り付けた後、ペンチ等の治具を用いてかしめることで永久変形させて形成される。これにより、比較的厚みのある生地１３であっても、遮蔽板部９４の長手方向を示すＡ−Ａ’に対し、突起片９６ａの長手方向を示すＢ−Ｂ’がほぼ平行となる状態で、遮光フィン９へ生地１３を取り付けることができる。
【０１１５】
以上、特定の実施形態の例を挙げて本発明を説明したが、本発明は前述の実施形態の例に限定されるものではなく、その技術思想を逸脱しない範囲で種々変形可能である。特に、遮光フィン９の軸部９１の形状・構造や、係止する方法はその一例を説明したにすぎず、例えば遮光フィン９の軸部９１を丸軸等で形成してもよいし、遮光フィン９の軸部９１を、例えばロールスクリーンであれば、枠体としての取付フレーム２に支持するではなく支持部材２ａ，２ｂに支持する構成とすることもできる。また、取付フレーム２に対し遮光フィン９の軸部９１で係止する位置は、取付フレーム２の前面に限らず、取付フレーム２の後面や底面でもよい。また、遮光フィン９を利用可能な形態として、ロールスクリーン以外にも、横型ブラインド、たくし上げカーテン、プリーツスクリーン等がある。
【産業上の利用可能性】
【０１１６】
本発明によれば、意匠性や操作性を向上させ、所定の生地を容易に取着可能とした遮光フィンを有する遮蔽装置を構成することができるので、遮光フィンを利用可能な遮蔽装置の用途に有用である。
【符号の説明】
【０１１７】
１  ロールスクリーン
２  取付フレーム
２ａ，２ｂ  支持部材
３  巻取パイプ
４  スクリーン
５  ウェイトバー
６  ブラケット
９  遮光フィン
１０  サイドカバー
２０  軸受部
２０ａ，２０ｂ  回動規制片
６１  固定金具
６２  吊下支持部材
９１  軸部
９２  曲部
９３  支持板部
９４  遮蔽板部
９５  干渉緩和部
【図１】
2017180077.tif 000003
【図２】
2017180077.tif 000004
【図３】
2017180077.tif 000005
【図４】
2017180077.tif 000006
【図５】
2017180077.tif 000007
【図６】
2017180077.tif 000008
【図７】
2017180077.tif 000009
【図８】
2017180077.tif 000010
【図９】
2017180077.tif 000011
【図１０】
2017180077.tif 000012
【図１１】
2017180077.tif 000013
【図１２】
2017180077.tif 000014
【図１３】
2017180077.tif 000015
【図１４】
2017180077.tif 000016
【図１５】
2017180077.tif 000017
【図１６】
2017180077.tif 000018